(57)【要約】【課題】後フィンによる長手方向への風向調整時の指向性を改善し、部品点数を削減し、部品の組付作業性を改善することができるレジスタを提供する。【解決手段】前可動ルーバ３は、空気吹出口５の長手方向と平行に、回動可能に軸支された中央の前フィン３０を有し、前フィン３０に摺動部材８が、前フィンの長手方向と平行に摺動可能に嵌合される。ダイヤル操作ノブ７が、摺動部材８に回転可能に支持される。後可動ルーバ４の中央近傍に、補助後フィン４０ａ、４０ｂを両側に有する補助後フィン部材４０が後フィンと同期して回動可能に軸支される。補助後フィン部材４０の内側に、環状部材４９が補助後フィン部材４０と平行な軸を介して回動可能に軸支される。ダイヤル操作ノブ７とダンパ装置５０間に配設した自在継手１０の継手軸１７が、環状部材の内側を貫通して配置される。【選択図】図１０
2019084854.tif 000002
【特許請求の範囲】
【請求項１】
内部に通風路を有したリテーナと、
該リテーナの前部に嵌着され、空気吹出口を有したベゼルと、
該空気吹出口の内側に、回動可能に配設された前可動ルーバと、
該前可動ルーバの上流側で該前可動ルーバと直交方向に配設され、並設した複数の後フィンを回動可能に軸支した後可動ルーバと、
該後可動ルーバの上流側に配設され、ダンパプレートにより該通風路を開閉するダンパ装置と、
を備えたレジスタにおいて、
該前可動ルーバは、該空気吹出口の長手方向と平行に、回動可能に軸支された前フィンを有し、該前フィンに摺動部材が、該前フィンの長手方向と平行に摺動可能に嵌合され、ダイヤル操作ノブが、該摺動部材に回転可能に支持され、
該後可動ルーバの中央近傍に、補助後フィンを両側に有する補助後フィン部材が該後フィンと同期して回動可能に軸支され、
該補助後フィン部材の内側に、環状部材が該補助後フィン部材と平行な軸を介して回動可能に軸支され、
該ダイヤル操作ノブと該ダンパ装置間に配設した自在継手の継手軸が、該環状部材の内側を貫通して配置され、
該ダイヤル操作ノブの後部が、該自在継手を介して、該継手軸の前端部に連結され、
該ダンパ装置は、第１ダンパプレートと第２ダンパプレートを有するダンパプレート組付体が、該第１ダンパプレートと第２ダンパプレートを同軸上の軸部を介して回動可能に軸支され、該ダンパプレート組付体をダンパ支持部材により支持して構成され、
該ダンパ支持部材にカップ形状部が設けられ、該カップ形状部内に自在軸受が回動可能に挿入され、該継手軸の後端部が該自在軸受内に嵌入され、
該自在軸受と該ダンパプレート組付体間に、該自在軸受の回転を該ダンパプレート組付体に伝達するカム機構が、設けられ、
該ダイヤル操作ノブによる該摺動部材の摺動操作時、該継手軸の移動により該環状部材を介して該補助後フィン部材が該後フィンと同期して回動し、
該ダイヤル操作ノブの回動操作時、該自在継手の該継手軸の回転が該カム機構を介して、該ダンパプレート組付体に伝達され、該ダンパプレート組付体が開閉することを特徴とするレジスタ。
【請求項２】
前記補助後フィン部材は、平行に配置した上下の平板間に前記補助後フィンを連結して構成され、前記環状部材の上部と下部が、支軸を介して該平板間に回動自在に軸支されたことを特徴とする請求項１記載のレジスタ。
【請求項３】
前記ダンパ装置のダンパプレートは、前記通風路の横断面を略２分割した形状の、第１ダンパプレートと第２ダンパプレートから構成され、該第１ダンパプレートと第２ダンパプレートの縁部に、軸部が設けられ、該軸部は、第１軸部と第２軸部に略２分割され、該第１軸部が第１ダンパプレートの縁部に設けられ、第２軸部が第２ダンパプレートの縁部に設けられ、第１軸部の端部と第２軸部の端部が相互に回転可能に連結されたことを特徴とする請求項１記載のレジスタ。
【請求項４】
前記環状部材の両内側壁部にリブが、縦方向に且つ前記継手軸と接触可能に設けられたことを特徴とする請求項２記載のレジスタ。
【請求項５】
前記リテーナの両内側壁部に、前記ダンパ支持部材を係止するための係止凸部が突設され、該ダンパ支持部材の縁部に該係止凸部に係止される係止部が設けられたことを特徴とする請求項１記載のレジスタ。
【請求項６】
前記ダンパ支持部材のカップ形状部に、半球状先端部が上流側に向けて設けられ、前記リテーナ内に枠部を介して設けた円形保持部の上流側に、該カップ形状部が嵌着されたことを特徴とする請求項１記載のレジスタ。
【請求項７】
前記補助後フィン部材の上下の平板に、支軸が突設されるとともに、連結軸が該支軸から偏倚した位置に突設され、該補助後フィン部材の該連結軸及び前記後可動ルーバの各後フィンの連結軸間に、１本のリンクバーが連結されたことを特徴とする請求項１記載のレジスタ。
【請求項８】
前記第１ダンパプレートと第２ダンパプレートに、前記カム機構のカムピンが突設され、該各カムピンは該カム機構の該自在軸受に設けたカム溝に係合し、該ダイヤル操作ノブを回動操作したとき、該連結軸、該継手軸、及び自在継手係合部を介して該自在軸受が軸の回りで回転し、該カム溝に係合する該カムピンを介して該第１ダンパプレートと第２ダンパプレートが該軸部を軸に回動することを特徴とする請求項１記載のレジスタ。
【発明の詳細な説明】
【技術分野】
【０００１】
本発明は、自動車等の空調装置の空気吹出口に使用されるレジスタに関し、特に長手方向に長く短手方向に短い、細長長方形状の空気吹出口を有し、空気吹出口の内側長手方向に沿って前フィンを配設した、薄型レジスタとして好適な空気吹出調整用のレジスタに関する。
【背景技術】
【０００２】
従来、車両室内の空気吹出調整用レジスタとして、通風路を形成するリテーナ内に、横可動ルーバと縦可動ルーバを前後して且つ相互に直交方向に配設し、ベゼルに設けた空気吹出口から空気を吹き出す際、横可動ルーバ、縦可動ルーバの各フィンの角度を変えて、空気の吹出し方向を上下左右に調整するクロスフィン型のレジスタが、広く使用されている。
【０００３】
また、このようなレジスタとして、細長長方形状の空気吹出口を有し、空気吹出口の内側に１〜３枚程度の少数の可動フィンを設けた薄型のレジスタが、主として意匠性やデザイン的なデマンドから製造されている。
【先行技術文献】
【特許文献】
【０００４】
【特許文献１】特開２０１７−１５９８７６号公報
【発明の概要】
【発明が解決しようとする課題】
【０００５】
この種のクロスフィン型の薄型レジスタは、通常、送風を遮断するために、後フィンの上流側の通風路内に、ダンパプレートが回動可能に軸支され、使用時、送風を止める場合、レジスタ前面のダンパダイヤルを操作してダンパプレートを回動させ、通風路を閉鎖する。
【０００６】
このため、上記レジスタは、ダンパ操作用のダンパダイヤルを、ベゼルの前面に設ける必要があり、ダンパダイヤルの配置により、レジスタの前面幅がコンパクトに制限される場合、空気吹出口の開口面積が縮小され、送風性能が低下しやすい。
【０００７】
また、レジスタの側部には、ダンパプレートにダンパダイヤルの回動力を伝達する操作伝達機構を設ける必要があり、操作伝達機構のためのスペースを、リテーナの側部などに設けることにより、このスペースがレジスタの外形形状を大型化する。さらに、この種のレジスタは、使用者がレジスタを操作する場合、前フィン上に摺動可能に外嵌された操作ノブとベゼルの前面に設けられたダンパダイヤルとを、別々に操作する必要がある。
【０００８】
そこで、本出願人は、上記特許文献１により、１個の操作部で、相互に直交する前フィンと後フィン及びダンパプレートを操作することができるレジスタを提案した。
【０００９】
このレジスタは、１個の操作部で、前フィン、後フィン及びダンパプレートを操作することができるものの、後フィンの間を操作用の継手軸が前後に通るため、その部分の後フィンを外すこととなる。このため、後フィンを左右に振ったとき、後フィンを外した部分から中央前方に風が直進するため、後フィンによる長手方向への風向調整が乱される不具合があった。
【００１０】
本発明は、上記の点に鑑みてなされたもので、後フィンによる長手方向への風向調整時の指向性を改善し、部品点数を削減し、部品の組付作業性を改善することができるレジスタを提供することを目的とする。
【課題を解決するための手段】
【００１１】
上記目的を達成するために、本発明のレジスタは、
内部に通風路を有したリテーナと、
該リテーナの前部に嵌着され、空気吹出口を有したベゼルと、
該空気吹出口の内側に、回動可能に配設された前可動ルーバと、
該前可動ルーバの上流側で該前可動ルーバと直交方向に配設され、並設した複数の後フィンを回動可能に軸支した後可動ルーバと、
該後可動ルーバの上流側に配設され、ダンパプレートにより該通風路を開閉するダンパ装置と、
を備えたレジスタにおいて、
該前可動ルーバは、該空気吹出口の長手方向と平行に、回動可能に軸支された前フィンを有し、該前フィンに摺動部材が、該前フィンの長手方向と平行に摺動可能に嵌合され、ダイヤル操作ノブが、該摺動部材に回転可能に支持され、
該後可動ルーバの中央近傍に、補助後フィンを両側に有する補助後フィン部材が該後フィンと同期して回動可能に軸支され、
該補助後フィン部材の内側に、環状部材が該補助後フィン部材の軸と平行な軸を介して回動可能に軸支され、
該ダイヤル操作ノブと該ダンパ装置間に配設した自在継手の継手軸が、該環状部材の内側を貫通して配置され、
該ダイヤル操作ノブの後部が、該自在継手を介して、該継手軸の前端部に連結され、
該ダンパ装置は、第１ダンパプレートと第２ダンパプレートを有するダンパプレート組付体が、該第１ダンパプレートと第２ダンパプレートを同軸上の軸部を介して回動可能に軸支され、該ダンパプレート組付体をダンパ支持部材により支持して構成され、
該ダンパ支持部材にカップ形状部が設けられ、該カップ形状部内に自在軸受が回動可能に挿入され、該継手軸の後端部が該自在軸受内に嵌入され、
該自在軸受と該ダンパプレート組付体間に、該自在軸受の回転を該ダンパプレート組付体に伝達するカム機構が、設けられ、
該ダイヤル操作ノブによる該摺動部材の摺動操作時、該継手軸の移動により該環状部材を介して該補助後フィン部材が該後フィンと同期して回動し、
該ダイヤル操作ノブの回動操作時、該自在継手の該継手軸の回転が該カム機構を介して、該ダンパプレート組付体に伝達され、該ダンパプレート組付体が開閉することを特徴とする。
【００１２】
なお、この明細書において、前後は、レジスタ内の通風路の下流側（空気吹出口側）が前側、前部であり、通風路の上流側が後側、後部である。
【００１３】
この発明によれば、レジスタのダイヤル操作ノブを、摺動部材とともに前フィンの長手方向に摺動操作すると、継手軸、環状部材を介して、補助後フィン部材が後可動ルーバの後フィンと同期して同方向に回動し、送風方向が空気吹出口の長手方向に曲げられる。
【００１４】
このとき、後可動ルーバの後フィンは、継手軸の長手方向の動きが、環状部材と補助後フィン部材に伝達され、さらにリンクバーを介して同期回動し、ダイヤル操作ノブの長手方向への動きに応じて、後可動ルーバの向きをスムーズに変えることができる。このため、従来、摺動部材の動きを後可動ルーバに伝えるために設けていた二股係合部などの部品が不要となる。また、後可動ルーバの中央付近を通過する空気流は、補助後フィン部材により良好にガイドされ、良好な指向性をもって後可動ルーバの向きに送風することができる。
【００１５】
さらに、ダンパ装置の第１ダンパプレートと第２ダンパプレートを有するダンパプレート組付体の軸部が、ダンパ支持部材により支持されるため、ダンパプレート組付体をリテーナの通風路内に組み付ける、組み付け作業時、ダンパプレート組付体を組み付けたダンパ支持部材を、通風路内の定位置に簡単に組み付けることができる。また、リテーナの壁部に、ダンパプレートの支軸用の軸孔を設ける必要がなく、軸孔による風漏れを防止することができる。
【００１６】
一方、空気吹出口の短手方向に風向を変える場合、ダイヤル操作ノブを空気吹出口の短手方向に回動操作し、これにより、前フィンが短手方向に回動し、空気吹出口からの送風が、空気吹出口の短手方向に曲げられる。
【００１７】
また、ダイヤル操作ノブをその中心軸の回りで回すと、自在継手、継手軸、自在軸受、及びカム機構を介してダンパ装置のダンパプレート組付体に回動力が伝わり、ダンパプレート組付体の第１ダンパプレートと第２ダンパプレートがその軸部を軸に相反方向に回動して、通風路を開閉する。このとき、ダイヤル操作ノブの回動力が、自在継手、継手軸、自在軸受、及びカム機構を介して、ダンパ装置のダンパプレート組付体に良好に伝達され、ダンパ装置の開閉を円滑に行うことができる。
【００１８】
ここで、上記補助後フィン部材は、平行に配置した上下の平板間の両側に、補助後フィンを連結して構成され、上記環状部材の上部と下部が支軸を介して該平板間に回動自在に軸支される構造とすることができる。
【００１９】
またここで、上記ダンパ装置のダンパプレートは、通風路の横断面を略２分割した形状の、第１ダンパプレートと第２ダンパプレートから構成され、第１ダンパプレートと第２ダンパプレートの縁部に、軸部が設けられ、軸部は、第１軸部と第２軸部に略２分割され、第１軸部が第１ダンパプレートの縁部に設けられ、第２軸部が第２ダンパプレートの縁部に設けられ、第１軸部の端部と第２軸部の端部が相互に回転可能に連結される構成とすることができる。
【００２０】
また、この環状部材の両内側壁部の縦方向にリブを、環状部材内を貫通する上記継手軸と接触可能に、設けることが好ましい。これによれば、ダイヤル操作ノブの操作時、継手軸が環状部材の内側を円滑に摺動し、良好な操作性で、異音を生じさせず、円滑に操作を行うことができる。
【００２１】
またここで、上記リテーナの両内側壁部に、上記ダンパ支持部材を係止するための係止凸部が突設され、ダンパ支持部材の縁部に係止凸部に係止される係止部を設ける構成とすることができる。
【００２２】
またここで、上記ダンパ支持部材のカップ形状部に、半球状先端部が上流側に向けて設けられ、上記リテーナ内に枠部を介して設けた円形保持部の上流側に、カップ形状部が嵌着される構成とすることができる。
【００２３】
またここで、上記補助後フィン部材の上下の平板に、支軸が突設されるとともに、連結軸が支軸から偏倚した位置に突設され、補助後フィン部材の連結軸及び上記後可動ルーバの各後フィンの連結軸間に、１本のリンクバーを連結した構成とすることができる。
【００２４】
またここで、上記第１ダンパプレートと第２ダンパプレートに、上記カム機構のカムピンが突設され、各カムピンはカム機構の自在軸受に設けたカム溝に係合し、ダイヤル操作ノブを回動操作したとき、連結軸、継手軸、及び自在継手係合部を介して自在軸受が軸の回りで回転し、カム溝に係合するカムピンを介して第１ダンパプレートと第２ダンパプレートが軸部を軸に回動するように構成することができる。
【００２５】
これによれば、第１ダンパプレートと第２ダンパプレートは、軸部を軸に、重ね合せた状態で通風路を開放し、軸部を中心に開いた状態で通風路を閉鎖する用に動作し、これにより、ダイヤル操作ノブを回したときの回動操作力を、カム機構を介して確実にダンパ装置に伝達し、ダイヤル操作ノブの回動操作により、第１ダンパプレートと第２ダンパプレートの相反方向への回動によって、円滑に通風路を開閉することができる。
【発明の効果】
【００２６】
この発明のレジスタによれば、１個の操作部で、前フィン、後フィン及びダンパプレートを操作することができ、後フィンを振ったときの、長手方向への風向調整時の指向性を改善し、部品点数を削減し、さらに部品の組付作業性を改善することができる。
【図面の簡単な説明】
【００２７】
【図１】本発明の一実施形態を示すレジスタの正面図である。
【図２】同レジスタの左側面図である。
【図３】同レジスタの斜視図である。
【図４】同レジスタの背面側から見た斜視図である。
【図５】リテーナの正面側からの斜視図である。
【図６】前可動ルーバの分解斜視図である。
【図７】前可動ルーバ、摺動部材、ダイヤル操作ノブ、自在継手などの分解斜視図である。
【図８】後可動ルーバの分解斜視図である。
【図９】（ａ）は前可動ルーバの前フィンにダイヤル操作ノブを組み付けた状態の正面図、（ｂ）はその平面図である。
【図１０】前フィンにダイヤル操作ノブを組み付けた状態の左側面図である。
【図１１】（ａ）は、前フィンにダイヤル操作ノブを組み付けた状態の斜視図、（ｂ）は背面側から見たその斜視図である。
【図１２】図１０のIII-III断面図とその部分拡大図である。
【図１３】（ａ）はダンパ装置の正面図、（ｂ）はその右側面図、（ｃ）はその平面図である。
【図１４】（ａ）はダンパ装置の斜視図、（ｂ）は背面側から見たその斜視図である。
【図１５】（ａ）はダンパプレート組付体の斜視図、（ｂ）は背面側から見た同斜視図、（ｃ）はダンパプレートを開いた状態の同斜視図である。
【図１６】カム機構のカム部材を含むダンパ装置の分解斜視図である。
【図１７】（ａ）は第１ダンパプレートの分解斜視図、（ｂ）は第２ダンパプレートの分解斜視図である。
【図１８】（ａ）はダンパ支持部材の斜視図、（ｂ）は角度を変えた状態の同斜視図、（ｃ）は背面側から見た同斜視図である。
【図１９】（ａ）は正面側から見た後可動ルーバの補助後フィン部材と環状部材の斜視図、（ｂ）は背面側から見たその斜視図である。
【図２０】（ａ）は補助後フィン部材と環状部材の斜視図、（ｂ）は背面側から見たその斜視図である。
【図２１】（ａ）は継手軸の斜視図、（ｂ）は背面側から見たその斜視図である。
【図２２】図１のI-I断面図である。
【図２３】ダンパ装置を閉鎖したときの図２２に対応した断面図である。
【図２４】前可動ルーバ３を上に回動したときの図２２に対応した断面図である。
【図２５】前可動ルーバを下に回動したときの図２２に対応した断面図である。
【図２６】図１のII-II断面図である。
【図２７】ダンパ装置を閉鎖したときの図２６に対応した断面図である。
【図２８】後可動ルーバを左に回動したときの図２６に対応した断面図である。
【発明を実施するための形態】
【００２８】
以下、本発明の実施の形態を図面に基づいて説明する。このレジスタは、図１〜図４に示すように、ダクト状に形成されたリテーナ１とその前部に嵌着されたベゼル２によりケース部が形成され、ベゼル２の前面に、長方形状の空気吹出口５形成され、リテーナ１の通風路６内に、前可動ルーバ３が配設され、その上流側に後可動ルーバ４及びダンパ装置５０が配設される。
【００２９】
前可動ルーバ３は、図１に示すように、空気吹出口５の長手方向と平行に配置され、回動可能に軸支された前フィン３０〜３２を有している。中央の前フィン３０に摺動部材８が、前フィン３０の長手方向と平行に摺動可能に嵌合され、ダイヤル操作ノブ７が、摺動部材８に回転可能に支持される。図８に示すように、後可動ルーバ４は、その中央近傍に、補助後フィン４０ａ，４０ｂを両側に有する補助後フィン部材４０が後フィン４１と同期して回動可能に軸支される。補助後フィン部材４０の内側には、環状部材４９が補助後フィン部材４０の支軸４３と平行な支軸４６を介して回動可能に軸支される。
【００３０】
ダンパ装置５０は、図１４に示すように、第１ダンパプレート５１と第２ダンパプレート５２を有するダンパプレート組付体７０が、ダンパ支持部材６０により支持され、ダンパ支持部材６０を介して、通風路６内に開閉可能に装着される。ダンパプレート組付体７０は、第１ダンパプレート５１と第２ダンパプレート５２を同軸上の軸部を介して回動可能に軸支して構成され、ダンパ支持部材６０によりその軸部が支持される。図７に示すように、ダンパ装置５０を開閉操作するために、ダイヤル操作ノブ７とダンパ装置５０間に、自在継手１０の継手軸１７が、環状部材４９の内側を貫通して配置される。ダイヤル操作ノブ７の背面部は、自在継手１０を介して、継手軸１７の前端部に連結される。ダンパ支持部材６０は、図１８に示すように、その端部にカップ形状部６１が設けられ、カップ形状部６１内に自在軸受２１が回動可能に挿入され、継手軸１７の後端部が自在軸受２１内に嵌入される。
【００３１】
一方、図１５に示すように、自在軸受２１とダンパプレート組付体７０間に、自在軸受２１の回転をダンパプレート組付体７０の軸部に伝達するカム機構２０が、設けられる。ダイヤル操作ノブ７による摺動部材８の摺動操作時、継手軸１７の移動により、環状部材４９を介して補助後フィン部材４０が、後フィン４１と同期して回動する。さらに、ダイヤル操作ノブ７の回動操作時、自在継手１０の継手軸１７の回転がカム機構２０を介して、ダンパプレート組付体７０の軸部に伝達され、ダンパプレート組付体７０が開閉するように構成される。
【００３２】
すなわち、ダンパプレート組付体７０を構成する第１ダンパプレート５１と第２ダンパプレート５２に、各々、カム機構２０のカムピン５６，５７が突設され、各カムピン５６，５７は、カム機構２０の自在軸受２１に設けたカム溝２３に係合する。これにより、ダイヤル操作ノブ７を回動操作したとき、連結軸１１、継手軸１７、及び自在継手係合部１８を介して自在軸受２１が軸の回りで回転し、カム溝２３に係合するカムピン５６，５７を介して、第１ダンパプレート５１と第２ダンパプレート５２が軸部を軸に回動するようになっている。
【００３３】
ベゼル２正面の空気吹出口５は、長手方向に長く短手方向に短い横長の長方形に形成され、空気吹出口５のすぐ内側に、前可動ルーバ３が長手方向（横方向）と平行に配される。前可動ルーバ３の上流側には、前可動ルーバ３と直交方向に後可動ルーバ４が、空気吹出口５の短手方向(縦方向)と平行に後フィン４１を並設して配設される。前可動ルーバ３の略中央に、１個のダイヤル操作ノブ７が、前可動ルーバ３、後可動ルーバ４、及びダンパ装置５０を操作するために配設される。
【００３４】
なお、この実施形態では、レジスタの空気吹出口５は横方向に細長く長手方向を横方向として形成され、前可動ルーバ３はその長手方向と平行に配され、後可動ルーバ４は空気吹出口５の短手方向と平行にその後フィン４１を配しているが、当該レジスタの正面形状を９０度回転させ、空気吹出口を縦方向に細長い形状とし、前可動ルーバを空気吹出口の長尺方向（縦方向）と平行に配し、後可動ルーバを空気吹出口の短手方向（横方向）と平行に配設するように、レジスタを構成してもよい。
【００３５】
図５に示すように、リテーナ１の前部には、嵌合係止部１ｄが４箇所に設けられ、ベゼル２の内側（背面側）に、嵌合係止部１ｄに対応して係止部が係止可能に突設される。リテーナ１内に、前可動ルーバ３、後可動ルーバ４、ダイヤル操作ノブ７とその自在継手１０を含む連結機構を組み付けた状態で、ベゼル２は、リテーナ１の前部の嵌合係止部１ｄを用いて嵌着される。
【００３６】
図６に示すように、前可動ルーバ３は、両側に板状の軸受部材２９を有し、軸受部材２９間に３枚の前フィン３０〜３２を上下に間隔をおいて、回動可能に軸支して構成される。各前フィン３０〜３２の両側に、支軸３４が突設され、それらの支軸３４が両側の軸受部材２９の軸孔に嵌入され、各前フィン３０〜３２は上下に回動可能に軸支される。さらに、図６に示す如く、各前フィン３０〜３２の一方の端部に連結軸３６が突設され、これらの連結軸３６間に１本のリンクバー３５がリンクされ、前フィン３０〜３２が同期して同じ方向に回動する。また、図６に示すように、中央の前フィン３０の右側端部に、ガイド軸３７が突設され、このガイド軸３７は軸受部材２９に設けたガイド孔に挿入され、前フィン３０の回動範囲をガイドするようになっている。この前可動ルーバ３は、組み付け時、リテーナ１の前部内側に設けた凹部に、両側の軸受部材２９を嵌入して、リテーナ１内に定位置に装着される。
【００３７】
前可動ルーバ３の中央の前フィン３０は、図６に示す如く、その中央部に上フィン部３０ａと下フィン部３０ｂが、その間に空間３３を設けて上下に膨出するように形成される。つまり、中央の前フィン３０は、その中央部近傍を上フィン部３０ａと下フィン部３０ｂにより、上下に分け、間に空間３３を設けるように形成され、平行に配置された上フィン部３０ａと下フィン部３０ｂには、図７、図１１に示すように、ダイヤル操作ノブ７の摺動部材８が、前フィン３０の長手方向（水平横方向）に沿って摺動可能に嵌め込まれる。
【００３８】
カップ状に形成された摺動部材８には、図７に示すように、その左右の壁部に、４本のスリット８ａが設けられ、これらのスリット８ａに、上フィン部３０ａと下フィン部３０ｂを嵌入することにより、摺動部材８は、前フィン３０上に、左右横方向に摺動可能に装着される。また、摺動部材８の背面側端部、つまり前フィン３０の背面側に突き出して背面側端部に、自在継手１０の取付板９が、摺動部材８に設けた係止爪８ｃと取付板９に設けた係止部９ａを係止させて嵌着される。また、摺動部材８内には、図７に示す如く、荷重付与部材３９が、摺動時に適度な荷重を付与するように、前フィン３０の縁部に当接して取り付けられる。これにより、摺動部材８は前フィン３０に対し適度な荷重を付与され、左右方向に摺動可能に取り付けられる。
【００３９】
さらに、図7に示すように、取付板９の中央に軸孔９ｂが設けられ、摺動部材８の前端部に軸孔８ｂが形成され、それらの軸孔８ｂ、９ｂに、自在継手１０の連結軸１１が挿通される。摺動部材８の軸孔８ｂから突出する連結軸１１の前部には、所定の回動範囲内で回動可能にダイヤル操作ノブ７が装着され、連結軸１１の前端部に、固定ねじ７ａと取付座７ｂを用いて、ダイヤル操作ノブ７が締め付け固定される。さらにダイヤル操作ノブ７の前部には固定ねじ７ａを覆ってカバー部７ｃが嵌着される。これにより、ダイヤル操作ノブ７は、連結軸１１の前端部に取り付けられ、ダイヤル操作ノブ７をその軸の回りで回動操作すると、摺動部材８に対し連結軸１１がその軸の回りで回動する。
【００４０】
一方、図７に示すように、連結軸１１の後部側つまり自在継手１０側には、自在継手１０の主要部となるフランジ部１４が設けられ、フランジ部１４の前側に係合凹部１４ａが連結軸１１の外周部分に設けられ、ガタツキ防止用と節度感付与用に、板ばね部材１４ｂが取付板９の背面側に設けられる。板ばね部材１４ｂは、その凸部が係合凹部１４ａに、ばね弾性をもって嵌合可能に設けられ、ダイヤル操作ノブ７を持って連結軸１１を回したとき、所定の角度位置（ダンパの開放位置と閉鎖位置）で、凸部が係合凹部１４ａに弾性嵌合する。これにより、ダンパ装置５０の操作機構は、適度なクリック感を生じつつ、ダンパの開放位置と閉鎖位置を保持させ、且つ連結軸１１のガタツキを防止している。
【００４１】
自在継手１０は、図７に示すように、継手軸１７の前端部に、二股状の揺動連結部１５を設け、揺動連結部１５の内側に、揺動連結部材１３を継手軸１７の軸と直交する軸の回りで回動可能に軸支する。さらに、揺動連結部材１３は、フランジ部１４の背面側に、継手軸１７の軸と直交し且つ揺動連結部材１３と直交する軸の回りで回動可能に連結される。これにより、自在継手１０は、連結軸１１と継手軸１７間で軸と直交する全ての方向に回転揺動可能で、且つ連結軸１１の軸の回りの回転力を継手軸１７に伝達可能として、自在継手機構を構成する。
【００４２】
さらに、継手軸１７の背面側端部に、略直方体形状の自在継手係合部１８が設けられ、自在継手係合部１８の上下にピン１９が突設される。この自在継手係合部１８は、図２２に示す如く、ダンパ装置５０のソケット状の自在軸受２１内に挿入され、そこに係合するようになっている。つまり、自在継手係合部１８の上下のピン１９は、自在軸受２１内に設けた係合溝２４に係合し、自在継手１０は自在軸受２１に対し継手軸１７の軸の回りの回転を伝達しながら、傾動可能に連結される。自在軸受２１は、図１６、図２１に示すように、円形穴を有したソケット状に形成され、その内壁に、２本の係合溝２４が軸方向に形成され、自在継手係合部１８の上下のピン１９がこの係合溝２４に係合する。
【００４３】
一方、図１０、図１１に示すように、自在継手１０の継手軸１７は、補助後フィン部材４０の内側を前後に貫通するとともに、補助後フィン部材４０内に軸支された環状部材４９の内側を貫通して配設される。補助後フィン部材４０は、図８に示すように、後可動ルーバ４の略中央位置に配置され、上下に突出した支軸４３を介して、リテーナ１内の軸受部材４７により回動可能に軸支される。さらに、補助後フィン部材４０は、上部と下部に間隔をおいて、平行に配置された平板部４２を有し、上下両側の平板部４２の縁部両側に掛け渡すように、補助後フィン４０ａ、４０ｂが、両平板部４２の両側縁部に、縦に固定される。
【００４４】
後可動ルーバ４は、前可動ルーバ３の上流側の通風路６内に、前可動ルーバ３と直交方向に配設される。後可動ルーバ４は、図８に示す如く、略中央に補助後フィン部材４０を配置し、その両側に例えば５本の後フィン４１を、縦方向に配置して構成され、後フィン４１は、左右横方向に間隔をおいて並設される。また、後可動ルーバ４は、上部と下部に配置した板状の軸受部材４７に、補助後フィン部材４０と各後フィン４１の上下の支軸４３が、回動可能に嵌入して組み付けられる。リテーナ１内への組み付け時、上下の軸受部材４７は、その間に補助後フィン部材４０と各後フィン４１を組み付けた状態で、リテーナ１内の上壁と下壁の内側に設けた凹部（図３）に、嵌め込まれて装着される。
【００４５】
後可動ルーバ４の略中央に位置する補助後フィン部材４０は、図８，１０，１１に示す如く、正面視を方形枠状として形成され、左右に間隔を置いて補助後フィン４０ａ、４０ｂが上下の平板部４２間に設けられる。上部の平板部４２上に、支軸４３が上向きに突設され、下部の平板部４２の下面に、支軸４３が上部の支軸４３と同軸位置に下向きに突設される。補助後フィン部材４０は、他の後フィン４１と同様に、後可動ルーバ４を軸支する上下の軸受部材４７に設けた軸孔に、各支軸４３を嵌入し、上下の支軸４３を介して、左右に回動可能に軸支される。また、補助後フィン部材４０と５本の後フィン４１の上部には、各々、それらの支軸４３から離れた偏倚位置に、連結軸４４が突設され、１本のリンクバー４５がそれらの連結軸４４間にリンクされる。
【００４６】
一方、図１９、図２０に示すように、補助後フィン部材４０内には、継手軸１７を貫通させるための、縦長の環状部材４９が、その上部と下部に設けた軸支部４８により、左右に回動可能に軸支される。環状部材４９は、正面視で長円形に形成され、両側側壁の内側面に、細いリブ４９ａが縦方向に突設される。このリブ４９ａは、環状部材４９内に挿通された継手軸１７が、ダイヤル操作ノブ７の操作に応じて、左右に揺動したとき、リブ４９ａに継手軸１７を接触させ、円滑に継手軸１７の動きを補助後フィン部材４０に伝達し、継手軸１７の上下の摺動時に、継手軸１７をスムーズに摺動させるようになっている。
【００４７】
また、環状部材４９により、従来必要としていた二股係合部や扇形歯部などの部材が不要となる。つまり、ダイヤル操作ノブ７を左右に操作したとき、摺動部材８の左右方向の動きが、継手軸１７を介して環状部材４９に伝達され、その動きが環状部材４９から補助後フィン部材４０に伝達され、後可動ルーバ４の左右方向の回動となる。このため、従来、後可動ルーバ４の後フィン４１を回動させるために設けていた二股係合部や扇形歯部などの部材は不要となる。
【００４８】
図１９に示す如く、補助後フィン部材４０の上下の平板部４２の内側面に、支軸４６が内側に向けて突設され、長円形の環状部材４９の上部と下部に設けた軸支部４８の軸孔に、上下の支軸４６が嵌入され、環状部材４９は、補助後フィン部材４０の内側で、左右に回動可能に軸支される。図１０に示すように、継手軸１７が環状部材４９の内側に挿通され、継手軸１７の背面側の先端に設けた自在継手係合部１８は、自在軸受２１内に嵌め込まれ、自在軸受２１はダンパ装置５０のダンパ支持部材６０のカップ形状部６１内に回動可能に嵌め込まれる。
【００４９】
ダンパ装置５０は、上記のように、ダンパプレートが、通風路６の横断面を略２分割した形状の、第１ダンパプレート５１と第２ダンパプレート５２を備えて構成される。第１ダンパプレート５１と第２ダンパプレート５２の縁部に、軸部が設けられ、軸部は、第１軸部５３と第２軸部５４に略２分割される。第１軸部５３が第１ダンパプレート５１の縁部に設けられ、第２軸部５４が第２ダンパプレート５２の縁部に設けられ、第１軸部５３の端部と第２軸部５４の端部が同軸上で連結される。
【００５０】
ダンパ装置５０のダンパプレート組付体７０は、第１ダンパプレート５１と第２ダンパプレート５２からなり、図１３に示すように、ダンパ支持部材６０によって回動可能に支持され、ダンパ支持部材６０を介して、通風路６内に開閉可能に装着される。第１ダンパプレート５１は、図１７（ａ）に示すように、プレート本体５１ａの上に軟質シート５１ｂを重ねて取り付け、軟質シート５１ｂの上から覆うようにカバー部５１ｃをプレート本体５１ａに固定して構成される。第１ダンパプレート５１のプレート本体５１ａの長辺縁部には、第１軸部５３が、２片に分かれ、間隔をおいて形成される。また、プレート本体５１ａの中間部に、フック状のカムピン５６が外側を向けて突設され、このカムピン５６を介して第１ダンパプレート５１に開閉方向の回動力が付与され構造である。
【００５１】
同様に、第２ダンパプレート５２は、図１７（ｂ）に示すように、プレート本体５２ａの下に軟質シート５２ｂを取り付け、さらに軟質シート５２ｂの下から覆うようにカバー部５２ｃをプレート本体５２ａに固定して構成される。プレート本体５２ａの長辺縁部には、第２軸部５４が、間隔をおいて２片に分かれて、形成される。第１軸部５３の端部と第２軸部５４の端部は、相互に回転可能に連結される。また、プレート本体５２ａの中間部に、フック状のカムピン５７が外側を向けて突設され、このカムピン５７を介して第２ダンパプレート５２に開閉方向の回動力が付与される構造である。
【００５２】
上記カムピン５６，５７の先端に球体部が形成され、この球体部が、図１５に示す如く、カム機構２０の自在軸受２１の外周部に設けたカム溝２３に係合保持される。自在軸受２１のカム溝２３の横断面形状は、カムピン５６，５７の球体部を確実に保持して回動可能な形状に形成され、カムピン５６，５７は自在軸受２１の回動に従動して、円滑に移動するように組み付けられる。
【００５３】
図１５、図１６に示す如く、ダンパプレート組付体７０の第１ダンパプレート５１と第２ダンパプレート５２は、それらの第１軸部５３と第２軸部５４が、同軸上で回動可能に、連結されて組み付けられる。このとき、各カムピン５６，５７は、外側に突出し、ダンパ支持部材６０のカップ形状部６１の開口６１ｂから内部に挿入され、内側に配設された自在軸受２１のカム溝２３に係合する。また、第１ダンパプレート５１と第２ダンパプレート５２は、図２３に示すように、所定角度まで開いた状態で、通風路６を閉鎖する形状に形成される。
【００５４】
ダンパ支持部材６０は、ダンパプレート組付体７０を開閉可能に支持し、リテーナ１の通風路６に、装着するための部材である。ダンパ支持部材６０は、図１８に示すように、長尺の支柱部６２の両端部に、係止支持部６３,６４を設け、各係止支持部６３，６４には、リテーナ１内に係止させるための係止凹部６３ａ，６４ａが形成され、さらにダンパプレート組付体７０の第１軸部５３と第２軸部５４の端部を回動可能に軸支する軸孔６３ｂ、６４ｂが各係止支持部６３，６４に、同軸上に形成される。
【００５５】
さらに、図１８に示す如く、支柱部６２の中間部に、カップ状のカップ形状部６１が設けられる。カップ形状部６１は、前部に円形開口を有し、背面部に半球状先端部６１ａを有して形成され、半球状先端部６１ａには、上記カムピン５６,５７を導入するための開口６１ｂが上下に形成される。図１６に示すように、カップ形状部６１内には、自在軸受２１が所定の角度範囲で回動可能に挿入され、自在軸受２１内に嵌入される継手軸１７の自在継手係合部１８から回動力を受けた自在軸受２１は、カップ形状部６１内で所定角度範囲で回動する。
【００５６】
この自在軸受２１の回動によって、第１ダンパプレート５１と第２ダンパプレート５２は、カムピン５６，５７を介して開閉動作する。カップ形状部６１は、リテーナ１の背面側からリテーナ１内に挿入され、リテーナ１内に設けた円形保持部１ｂ（図５）内に嵌着される。このために、カップ形状部６１の外周部は円形保持部１ｂ内に嵌合可能な形状に形成され、且つカップ形状部６１の前部には、リテーナ１内の枠部１ａを嵌め込むためのスリット６１ｄが形成される。
【００５７】
また、カップ形状部６１の両側に、軸孔６１ｃが形成され、上記ダンパプレート組付体７０の第１軸部５３と第２軸部５４の内側端部がこの軸孔６１ｃに嵌合されるようになっている。軸孔６３ｂ、６４ｂ及び軸孔６１ｃは同軸上に位置し、ダンパプレート組付体７０の第１軸部５３と第２軸部５４からなる軸部が、これら軸孔６３ｂ、６４ｂ及び軸孔６１ｃによってダンパ支持部材６０上で回動可能に軸支される。
【００５８】
第１ダンパプレート５１と第２ダンパプレート５２からなるダンパプレート組付体７０を、リテーナ１内に組み付ける場合、先ず、図１４に示す如く、第１軸部５３と第２軸部５４を、係止支持部６３，６４の軸孔６３ｂ、６４ｂに嵌合させ、組み付けた状態とする。次に、リテーナ１の背面側から、ダンパプレート組付体７０付きのダンパ支持部材６０を差し入れ、ダンパ支持部材６０の係止支持部６３，６４の係止凹部６３ａ，６４ａを、リテーナ１内の係止凸部１ｃ（図５）に係止させ、これによりダンパプレート組付体７０とダンパ支持部材６０とからなるダンパ装置５０が、リテーナ１内の所定位置に取り付けられる。
【００５９】
このように、リテーナ１内の係止凸部１ｃにダンパ支持部材６０の係止支持部６３，６４の係止凹部６３ａ，６４ａを係止させるだけで、ダンパ装置５０を定位置に簡単に組み付けることができ、且つリテーナ１の側壁に軸孔を穿設する必要がなく、軸孔の隙間からの風漏れを防止することができる。
【００６０】
上記のように、ダイヤル操作ノブ７は、連結軸１１が、上記構成の自在継手１０を介して、出力軸側の継手軸１７に連結され、連結軸１１、自在継手１０、継手軸１７、自在軸受２１等から回転伝達機構が構成される。これにより、ダイヤル操作ノブ７を持って摺動部材８を左右方向に摺動操作したとき、その動きが環状部材４９を介して後可動ルーバ４に伝達され、ダイヤル操作ノブ７を上下方向に傾動（回動）操作したとき、前可動ルーバ３が傾動し、さらにその状態で、ダイヤル操作ノブ７を回したとき、回転伝達機構を介して、ダイヤル操作ノブ７の回動力が継手軸１７から自在軸受２１に伝達される。
【００６１】
ダンパ装置５０では、第１ダンパプレート５１と第２ダンパプレート５２を回動操作するために、図１４、図１５に示す如く、第１ダンパプレート５１のカムピン５６が自在軸受２１の端部に設けたカム溝２３に係合し、第２ダンパプレート５２のカムピン５７が自在軸受２１の端部に設けた反対側のカム溝２３に係合する。第１ダンパプレート５１と第２ダンパプレート５２は、図１３、図１４に示す如く、第１軸部５３と第２軸部５４が連結された状態で、ダンパ支持部材６０によって保持され、通風路６内の上流側に開閉可能に取り付けられる。
【００６２】
これにより、上記ダイヤル操作ノブ７を、その軸の回りで回動操作したとき、その回動力が自在継手１０の連結軸１１、継手軸１７を介して自在軸受２１に伝達され、自在軸受２１に設けたカム溝２３が、カムピン５６，５７を介して第１ダンパプレート５１と第２ダンパプレート５２を回動させ、図２２のように通風路６を開放し、図２３のように通風路６を閉鎖する。
【００６３】
ダイヤル操作ノブ７は、前可動ルーバ３の前フィン３０〜３２とともに上下に傾動し、摺動部材８とともに左右に移動する。このため、その上下傾動と左右移動を行いつつ、軸の回りで回動操作したとき、その回動力を、カム機構２０を介してダンパ装置５０の第１ダンパプレート５１及び第２ダンパプレート５２に伝達するように、自在継手１０、自在継手係合部１８及び自在軸受２１を介して連結される。自在継手１０は、上記の如く連結軸１１に対し揺動連結部１５及び揺動連結部材１３を介して全方向に傾動可能に連結される。
【００６４】
上記構成のレジスタは、自動車の車内のインストルメントパネルやダッシュボードの部分に、そのリテーナ１の末端を図示しない通風ダクトに接続するようにして装着される。通風ダクトから送られる空気は、リテーナ１内の通風路６から空気吹出口５を通して吹き出される。
【００６５】
図２２、図２６のように、ダンパ装置５０を開放し、前可動ルーバ３の前フィン３０〜３２と後可動ルーバ４の補助後フィン部材４０及び後フィン４１を、通風路６の送風方向と平行にしたニュートラル状態で、空気流は通風路６内を真直ぐに進み、補助後フィン部材４０、後フィン４１、及び前フィン３０〜３２の間を通過し、空気吹出口５から前方に吹き出される。
【００６６】
このとき、後可動ルーバ４を通過する空気流は、後フィン４１とともに補助後フィン部材４０によっても、ガイドされ、正面に向けて空気流が指向性良く送風される。また、図１３、図１４に示すように、ダンパ装置５０を支持するダンパ支持部材６０のカップ形状部６１に、上流側を向いて半球状先端部６１ａが設けられるために、送風時の空気抵抗を低減することができる。
【００６７】
このような送風状態で、通風路６を閉鎖して送風を遮断する場合、ダイヤル操作ノブ７を把持して、その軸の回りで例えば時計方向に回す。これにより、ダイヤル操作ノブ７の回動力が自在継手１０、自在継手係合部１８から自在軸受２１に伝達され、ダンパ支持部材６０のカップ形状部６１内で自在軸受２１が回転する。そして、自在軸受２１の回転がカムピン５６，５７を介してダンパ装置５０のダンパプレート組付体７０に伝達されて、ダンパプレート組付体７０の第１ダンパプレート５１と第２ダンパプレート５２が相反方向、開方向に回転する。
【００６８】
このとき、図２３に示す如く、第１ダンパプレート５１が図の時計方向に回動し、第２ダンパプレート５２が反時計方向に回動し、開方向に開いた第１ダンパプレート５１と第２ダンパプレート５２の周縁部が通風路６の内壁に当接し、通風路６がダンパ装置５０により閉鎖される。このとき、リテーナ１内のダンパ装置５０の上流側で、空気圧が上昇するが、ダンパプレート組付体７０を支持するダンパ支持部材６０が、内壁に穿設した軸孔に軸をはめ込むのではなく、内壁に突設した係止凸部１ｃに係止される。しかも、自在軸受２１を回動可能に保持するカップ形状部６１が半球状先端部６１ａによってほぼ閉鎖されるので、ダンパ装置５０を閉鎖したときの風漏れを低減することができる。
【００６９】
一方、送風状態で、送風方向を上または下に調整する場合、ダイヤル操作ノブ７を把持して前可動ルーバ３の前フィン３０〜３２を上または下に回動させる。ダイヤル操作ノブ７を持って上または下に回動させると、図２４、図２５に示すように、ダイヤル操作ノブ７が装着された前フィン３０〜３２がその両側の支軸３４を軸に上または下に回動し、前フィン３０〜３２が斜め上方または斜め下方に傾動して、送風方向が同方向に調整される。
一方、上記のように前フィン３０〜３２を上にまたは下に振った送風状態で、通風路６を閉鎖して送風を遮断する場合、上記と同様、ダイヤル操作ノブ７を把持して、その軸の回りで例えば時計方向に回す。
【００７０】
このとき、図２４，図２５に示すように、ダイヤル操作ノブ７の連結軸１１は継手軸１７に対し曲折して連結され、且つ継手軸１７は自在軸受２１に対し曲折して連結されるが、自在継手１０及び自在継手係合部１８を介して自在軸受２１に連結されるため、ダイヤル操作ノブ７の回動力は円滑に自在軸受２１に伝達され、カム機構２０に伝達される。
【００７１】
カム機構２０の回転は、カムピン５６，５７を介してダンパ装置５０のダンパプレート組付体７０に伝達され、第１ダンパプレート５１と第２ダンパプレート５２が、相反方向に回転する。このとき、図２３に示すように、第１ダンパプレート５１が図の時計方向に回動し、第２ダンパプレート５２が反時計方向に回動し、第１ダンパプレート５１と第２ダンパプレート５２の周縁部が通風路６の内壁に当接し、通風路６がダンパ装置５０により閉鎖される。
【００７２】
一方、送風方向を左右に変える場合、ダイヤル操作ノブ７を摺動部材８とともに左または右に摺動させる。ダイヤル操作ノブ７を持って左または右に動かすと、摺動部材８は前フィン３０上を左または右に移動する。例えば、ダイヤル操作ノブ7を左に動かすと、図２８のように摺動部材８と連結軸１１が移動する。このとき、摺動部材８の連結軸１１に、揺動連結部材１３を介して連結される継手軸１７は右に傾動し、この継手軸１７の傾動によって、後可動ルーバ４の補助後フィン部材４０内に配置された環状部材４９が回動方向の力を受ける。これにより、補助後フィン部材４０がその支軸４３を軸に右に傾動（回動）する。このとき、その回動力は、後可動ルーバ４のリンクバー４５を介して他の後フィン４１に伝達され、各後フィン４１がその支軸４３を軸支に回動し、全ての後フィン４１の向きが支軸４３を軸にして変わり、送風方向が左に調整される。
【００７３】
上記の如く後可動ルーバ４を左にまたは右に振った送風状態で、通風路６を閉鎖して送風を遮断する場合、上記と同様、ダイヤル操作ノブ７を把持して、その軸の回りで例えば時計方向に回す。
【００７４】
このとき、図２７に示すように、ダイヤル操作ノブ７の連結軸１１は、自在継手１０、自在継手係合部１８から自在軸受２１に伝達され、ダンパ支持部材６０のカップ形状部６１内で自在軸受２１が回転する。この自在軸受２１の回転がカムピン５６，５７を介してダンパ装置５０のダンパプレート組付体７０に伝達されて、ダンパプレート組付体７０の第１ダンパプレート５１と第２ダンパプレート５２が相反方向（開方向）に回転し、第１ダンパプレート５１と第２ダンパプレート５２の周縁部が通風路６の内壁に当接し、通風路６がダンパ装置５０により閉鎖される。
【００７５】
このように、１本のダイヤル操作ノブ７を操作するのみで、簡便に送風方向を上下左右に変えることができるとともに、ダンパ装置５０を回動操作して、通風路６を開閉することができる。また、後可動ルーバ４の略中央位置に補助後フィン部材４０を配置し、ダイヤル操作ノブ７を左または右に動かしたときの継手軸１７の動きが環状部材４９を介して補助後フィン部材４０に伝達され、補助後フィン部材４０を介して後可動ルーバ４の後フィン４１を傾動させるので、二股部材や扇形係合部材を別に設ける必要がなく、部品数を減らすことができ、組み付け作業工数も削減することができる。
【符号の説明】
【００７６】
１      リテーナ
１ａ    枠部
１ｂ    円形保持部
１ｃ    係止凸部
１ｄ    嵌合係止部
２      ベゼル
３      前可動ルーバ
４      後可動ルーバ
５      空気吹出口
６      通風路
７      ダイヤル操作ノブ
７ｂ    取付座
７ｃ    カバー部
８      摺動部材
８ａ    スリット
８ｂ    軸孔
８ｃ    係止爪
９      取付板
９ａ    係止部
９ｂ    軸孔
１０    自在継手
１１    連結軸
１３    揺動連結部材
１４    フランジ部
１４ａ  係合凹部
１４ｂ  板ばね部材
１５    揺動連結部
１７    継手軸
１８    自在継手係合部
１９    ピン
２０    カム機構
２１    自在軸受
２３    カム溝
２４    係合溝
２９    軸受部材
３０    前フィン
３０ａ  上フィン部
３０ｂ  下フィン部
３３    空間
３４    支軸
３５    リンクバー
３６    連結軸
３７    ガイド軸
３９    荷重付与部材
４０    補助後フィン部材
４０ａ  補助後フィン
４０ｂ  補助後フィン
４１    後フィン
４２    平板部
４３    支軸
４４    連結軸
４５    リンクバー
４６    支軸
４７    軸受部材
４８    軸支部
４９    環状部材
４９ａ  リブ
５０    ダンパ装置
５１    第１ダンパプレート
５１ａ  プレート本体
５１ｂ  軟質シート
５１ｃ  カバー部
５２    第２ダンパプレート
５２ａ  プレート本体
５２ｂ  軟質シート
５２ｃ  カバー部
５３    第１軸部
５４    第２軸部
５６    カムピン
５７    カムピン
６０    ダンパ支持部材
６１    カップ形状部
６１ａ  半球状先端部
６１ｂ  開口
６１ｃ  軸孔
６１ｄ  スリット
６２    支柱部
６３    係止支持部
６３ａ  係止凹部
６３ｂ  軸孔
７０    ダンパプレート組付体
【図１】
2019084854.tif 000003
【図２】
2019084854.tif 000004
【図３】
2019084854.tif 000005
【図４】
2019084854.tif 000006
【図５】
2019084854.tif 000007
【図６】
2019084854.tif 000008
【図７】
2019084854.tif 000009
【図８】
2019084854.tif 000010
【図９】
2019084854.tif 000011
【図１０】
2019084854.tif 000012
【図１１】
2019084854.tif 000013
【図１２】
2019084854.tif 000014
【図１３】
2019084854.tif 000015
【図１４】
2019084854.tif 000016
【図１５】
2019084854.tif 000017
【図１６】
2019084854.tif 000018
【図１７】
2019084854.tif 000019
【図１８】
2019084854.tif 000020
【図１９】
2019084854.tif 000021
【図２０】
2019084854.tif 000022
【図２１】
2019084854.tif 000023
【図２２】
2019084854.tif 000024
【図２３】
2019084854.tif 000025
【図２４】
2019084854.tif 000026
【図２５】
2019084854.tif 000027
【図２６】
2019084854.tif 000028
【図２７】
2019084854.tif 000029
【図２８】
2019084854.tif 000030